(57)【特許請求の範囲】
【請求項１】
スプレー式洗浄ガンの先端部に取り付けられ、所定圧力以上の洗浄水又は所定圧力以下の低圧既発泡洗剤を噴射するノズル装置において、
該ノズル装置の先端噴射部には、口径の小さい拡散ノズルと口径の大きい発泡洗剤用ノズルとが並列して設けられ、
前記拡散ノズルの上流側には、付勢手段により閉塞側に付勢された弁装置が設けられ、
前記発泡洗剤用ノズルの上流側には、発泡洗剤用ノズルへ低圧既発泡洗剤を導通させるための低圧流路が前記弁装置を囲繞するように設けられ、
前記弁装置及び低圧流路の上流側には、ノズル装置後端流体流入部から流入する流体を貯留するチャンバー部とチャンバー部内の流体を下流側へ流出させる共通流路からなる受圧体が設けられ、
前記受圧体が所定圧力以上の洗浄水を受けると、前記付勢手段に抗して押動し、前記弁装置内の弁を開放させることにより、前記共通流路から前記拡散ノズルへ洗浄水を導通させ、所定圧力以下の低圧既発泡洗剤を受けると、前記付勢手段に付勢されたまま押動せず、前記拡散ノズルへの導通を閉塞させることにより、前記共通流路から前記低圧流路を経て発泡洗剤用ノズルへ低圧既発泡洗剤を導通させることを特徴とするノズル装置。
【請求項２】
前記弁装置及び拡散ノズルは熱伝導性の良好な材質で形成されていることを特徴とする請求項１記載のノズル装置。
【請求項３】
所定圧力以上の洗浄水又は所定圧力以下の低圧発泡洗剤を選択的に供給するスプレー式洗浄装置であって、請求項１又は２のいずれかに記載のノズル装置を使用し、１つの洗浄ガンで、所定圧力以上の洗浄水を噴射する場合には前記拡散ノズルから拡散噴射し、所定圧力以下の低圧発泡洗剤を噴射する場合には発泡洗剤用ノズルから初期発泡状態を維持したまま噴射することを特徴とするスプレー式洗浄装置。
【発明の詳細な説明】
【０００１】
【産業上の利用分野】
この発明は、例えば車両洗浄用のスプレー式洗浄ガンの先端部に取り付けられ、適宜洗浄液を噴射し、洗浄を行うノズル装置及び同ノズル装置を使用したスプレー式洗浄装置に関する。
【０００２】
【従来の技術】
従来、圧力に応じ、自動的に噴射ノズルを切り替える装置として、実公平３−５１０２９に記載されたノズル装置が知られている。そしてこの装置では、高圧水と、低圧の洗剤水もしくはワックス水が、それぞれに対応する拡散ノズルから噴射できるようになっている。
また、予め発泡させた洗剤を専用ノズルを用いて低圧で噴射できる装置として、特許２９３７８１２に記載された洗車機が知られている。
【０００３】
【発明が解決しようとする課題】
しかしながら、実公平３−５１０２９に記載されたノズル装置から噴射される洗剤は低圧とはいうものの高圧ポンプ前後循環路を開いて若干圧力を落としたものであり、この圧力と界面活性力の働きにより、車体表面の汚れを落とす装置である。これでも或る程度の汚れは落とすことはできるが、予め発泡させた洗剤を車体を覆うようにして噴射しその上でスポンジやブラシ等の摺擦具で車体表面を擦って汚れを落とす方法に比べればかなり劣る洗浄方法である。かといって前記ノズル装置から噴射される洗剤水は粘度も低くある程度の圧力により噴射されていることもあって、洗剤水は噴射直後から直ちに車体表面から流れ落ちてしまい、擦ることはできない。このように、前記ノズル装置では、予め発泡させた洗剤を低圧で噴射することは考慮されておらず、車両の汚れを落とす装置としては不十分であった。
また、特許２９３７８１２の洗車機では、確かに予め発泡させた洗剤を噴射することができる洗車機であるが、発泡洗剤を噴射するための専用の泡用ノズルを設けてあり、洗浄水を高圧で噴射したり、発泡洗剤を低圧で噴射したりするのに一々それぞれのノズルを持ち替えなくてはならず、非常に面倒であった。
【０００４】
【課題を解決するための手段】
この発明は、スプレー式洗浄ガンの先端部に取り付けられ、所定圧力以上の洗浄水と所定圧力以下の低圧既発泡洗剤を噴射するノズル装置において、該ノズル装置の先端噴射部には、口径の小さい拡散ノズルと口径の大きい発泡洗剤用ノズルとが並列して設けられ、前記拡散ノズルの上流側には、付勢手段により閉塞側に付勢された弁装置が設けられ、前記発泡洗剤用ノズルの上流側には、発泡洗剤用ノズルへ低圧既発泡洗剤を導通させるための低圧流路が前記弁装置を囲繞するように設けられ、前記弁装置及び低圧流路の上流側には、ノズル装置後端流体流入部から流入する流体を貯留するチャンバー部とチャンバー部内の流体を下流側へ流出させる共通流路からなる受圧体が設けられ、前記受圧体が所定圧力以上の洗浄水を受けると、前記付勢手段に抗して押動し、前記弁装置内の弁を開放させることにより、前記共通流路から前記拡散ノズルへ洗浄水を導通させ、所定圧力以下の低圧既発泡洗剤を受けると、前記付勢手段に付勢されたまま押動せず、前記拡散ノズルへの導通を閉塞させることにより、前記共通流路から前記低圧流路を経て発泡洗剤用ノズルへ低圧既発泡洗剤を導通させるノズル装置を提供することを要旨とするものである。
また、前記弁装置及び拡散ノズルは熱伝導性の良好な材質で形成とするとより好ましい。
また、所定圧力以上の洗浄水又は所定圧力以下の低圧発泡洗剤を選択的に供給するスプレー式洗浄装置であって、前記いずれかに記載のノズル装置を使用し、１つの洗浄ガンで、所定圧力以上の洗浄水を噴射する場合には前記拡散ノズルから拡散噴射し、所定圧力以下の低圧発泡洗剤を噴射する場合には発泡洗剤用ノズルから初期発泡状態を維持したまま噴射するスプレー式洗浄装置を提供することをも要旨とするものである。
【０００５】
【作用】
本発明のノズル装置をスプレー式洗浄装置に用いると、洗浄装置側から所定圧力以上の洗浄水、例えば、予備洗浄や仕上げ用の高圧洗浄水、及び中圧ワックス水が供給された場合、受圧体がその圧力を受け、その先の弁装置を付勢手段に抗して押動する。すると供給された洗浄水は、共通流路、弁装置を経て、拡散ノズルから高圧或いは中圧で噴射される。また、予め低圧の圧縮空気で発泡された低圧既発泡洗剤が供給された場合には、受圧体は弁装置に設けられた付勢手段に付勢されたままの状態となり、供給された低圧既発泡洗剤は共通流路、低圧流路を経て、発泡洗剤用ノズルから噴射される。
さらに、凍結防止用に低圧の温水がノズル装置に供給された場合には、その温水は低圧流路を通って発泡洗剤用ノズルより流出され、受圧体、低圧流路、発泡洗剤用ノズルの各低圧部の凍結が防止されると共に、熱伝導性の良い弁装置及び拡散ノズルは低圧流路に囲繞されるように設けられているため、低圧流路及び発泡洗剤用ノズルを流れる温水の熱が伝わり、低圧の温水をノズル装置に供給するだけで高圧側の各部も同時に凍結防止が図られる。
【０００６】
【実施例】
以下、実施例について図面を基に説明する。図１、図２は本発明の一実施例であるノズル装置の断面図で、詳細は後述するが、それぞれ所定圧力以上の洗浄水が供給された場合及び所定圧力以下の低圧既発泡洗剤が供給された場合の図である。１は円筒状に形成された本体であり、その内部には、上流側から、洗浄ガンのパイプ先端に螺合できるようになっている流体流入部２、流体流入部２から流入する流体を貯留するチャンバー部４と流体を上流側へ導通するための共通流路５とから形成され、本体１内部を軸方向で摺動する受圧体３、軸方向に摺動する弁７とその弁７を下流側に付勢しているバネ等の付勢手段８とで形成された弁装置６、本体１の下流端中心部に形成され、弁装置６を通過した流体を拡散噴射するための拡散ノズル９、弁装置６を囲繞するように形成された低圧流路１０、本体１下流端に２個所穿設され、低圧流路１０を通過した流体を噴射するための発泡洗剤用ノズル１１、がそれぞれ内蔵されている。
【０００７】
ところで、流体流入部２、共通流路５、低圧流路１０、発泡洗剤用ノズル１１、の各断面積は、ノズル装置流入前に後述するスプレー式洗浄装置にて適宜発泡状態とされた低圧既発泡洗剤が通過後も遜色のない発泡状態を維持できる大きさとなっている。つまり、所定以下の圧力で供給される標準的なムース状発泡洗剤が潰れて水っぽくならない大きさとなっている。また、弁装置６は拡散ノズルに至るまで熱伝導性の良い材質が使用されている。
【０００８】
図３は本発明のノズル装置をスプレー式洗浄装置に装備したスプレー式洗浄装置の全体構成図で、ここでは１２はスプレー式洗浄装置、１３は洗浄ガンである。洗浄装置１２内には温水タンク１４、高圧ポンプ１５にて温水タンク１４の温水を逆止弁１６を介して洗浄ガン１３へ供給する高圧管路１７、凍結防止用低圧ポンプ１８にて温水タンク１４の温水を高圧ポンプ１５の上流側の高圧管路１７に供給する凍結防止用管路１９、リングポンプ２０にてワックス原液タンク２１のワックス原液を定量高圧管路１７に供給するワックス管路２２、高圧ポンプ１５の前後に接続された減圧路２３、低圧洗剤ポンプ２４にて温水タンク１４の温水及び洗剤原液タンク２５の洗剤原液を逆止弁２６を介して洗浄ガン１３へ供給する洗剤管路２７、圧縮空気供給源２８から圧縮空気を洗剤管路２７へ供給する空気管路２９、それぞれの管路の開閉を行う電磁弁３０乃至３４などが配備されている。また、本スプレー式洗浄装置には、所定の洗車シーケンスが組み込まれており、そのシーケンスに従い順次洗浄水が切り替わり、最適な洗車が行えるようになっているものである。
【０００９】
次に図１乃至３に基づき動作の説明をする。本実施例では高圧水での予備洗浄、発泡洗剤での手洗い、汚れと共に洗剤を高圧水で洗い流す濯ぎ、ワックス水の塗布というシーケンスに基づき、車両の洗浄を行う場合について説明する。
【００１０】
まず、電磁弁３０が開き、高圧ポンプ１５が駆動されると、温水タンク１４の温水が高圧管路１７を通って逆止弁１６を開き、洗浄ガン１３の先端のノズル装置本体１に供給される。供給された高圧水により、図１に示すように、受圧体３が下流側に移動し、低圧流路１０を閉じると共に、受圧体３先端の突起が付勢手段８に抗して弁装置６の弁７を移動開放させる。すると、高圧水は図１の矢印で示したように、共通管路５、弁７を通って、拡散ノズル９から噴射されるので、作業者はこの高圧水により、車体の予備洗浄を行う。
【００１１】
次に、電磁弁３０が閉じられ、高圧ポンプ１５が停止され、代わりに電磁弁３２、３４が開き、低圧洗剤ポンプ２４が駆動されると、温水タンク１４の温水及び洗剤原液タンク２５の洗剤原液が洗剤管路２７に供給される。この時、圧縮空気源２８からは比較的低圧の圧縮空気が空気管路２９に供給され、洗剤管路２７に合流して、洗剤水をムース状に充分発泡させる。このようにして発泡された洗剤が低圧で逆止弁２６を開き、洗浄ガン１３の先端のノズル装置本体１に供給される。供給された発泡洗剤は低圧であるため、図２に示すように、受圧体３は弁装置６の付勢手段８に付勢されたままである。よって、低圧発泡洗剤は図２の矢印で示したように、また前述したように、発泡状態がノズル装置本体１に供給されるまでの状態と比較して遜色無く、共通管路５、低圧流路１０を通って、発泡洗剤用ノズル１１から噴射されるので、作業者はこの発泡洗剤を車体に万遍なく噴き付ける。
【００１２】
その後、電磁弁３２、３４が閉じ、低圧洗剤ポンプ２４が停止されるので、この間に、洗浄ガン１３をスポンジ等に持ち替え、車体を手洗いする。
【００１３】
所定時間が経過すると、電磁弁３０が開き、高圧ポンプ１５が駆動され、温水タンク１４の温水が高圧管路１７を通って逆止弁１６を開き、洗浄ガン１３の先端のノズル装置本体１に供給されるので、作業者はその高圧水を車体に噴き付け、車体表面に浮き出た汚れと共に洗剤を高圧水で洗い流す濯ぎ作業を行う。
【００１４】
さらに、濯ぎ工程終了後、電磁弁３３が開き、リングポンプ２０が回転を開始し、ワックス原液タンク２１のワックス原液がワックス管路２２から定量ずつ高圧管路１７に供給される。よって、高圧ポンプ１５から吐出される高圧水の一部は減圧路２３を通って高圧ポンプ１５の上流側に還流されるので、洗浄ガン１３に供給されるワックス水は所定圧力減圧された中圧のワックス水となっている。しかしながら、ワックス水が供給された受圧体３はこの圧力でも付勢手段８に抗して移動する設定としてあるので、高圧水が流入した場合と同様に、低圧流路１０を閉じると共に、受圧体３先端の突起が付勢手段８に抗して弁装置６の弁７を移動開放させる。すると、中圧ワックス水は図１の矢印で示したように、共通管路５、弁７を通って、拡散ノズル９から噴射されるので、作業者はワックス水を車体に塗布する。この時、ワックス水は中圧となっているため、高圧水を噴射した時のように車体表面から弾き飛ぶことがないので、また、拡散ノズルから拡散噴射されるので、ワックス水を車体表面に効率良く、万遍なく塗布することが可能となっている。
【００１５】
次に、各管路の凍結防止を行う場合について説明する。洗車機に設けられた温度センサー等の温度検出手段（図示しない）が、所定以下の温度を検出すると、電磁弁３１が開き、凍結防止用低圧ポンプ１８が駆動する。すると、温水タンク１４の温水が低圧で凍結防止用管路１９から高圧管路１７に供給され、洗浄ガン１３先端のノズル装置本体１に供給される。ここで、供給される温水は所定圧力以下としてあるので、受圧体３は弁装置６の付勢手段８に付勢されまま移動しない。よって、低圧のこの温水は、図２に示すように、共通流路５、低圧流路１０を通って発泡洗剤用ノズル１１より流出され、受圧体３、低圧流路１０、発泡洗剤用ノズル１１の各低圧部の凍結が防止される。また、熱伝導性の良い弁装置６及び拡散ノズル９は低圧流路１０に囲繞されるように設けられているため、低圧流路１０及び発泡洗剤用ノズル１１を流れる温水の熱が伝わり、弁装置６及び拡散ノズル９も同時に凍結防止が図られる。
【００１６】
【発明の効果】
以上説明したとおり、本発明によると、高圧の洗浄水、中圧のワックス水、低圧の既発泡洗剤をそれぞれ１つのノズル装置から噴射することができ、これらの洗浄水の違いにより自動的に最適なノズルに切り替えられる。
また、ノズル装置は洗浄ガンのパイプ先端に着脱自在に取付可能となっているため、既存の洗車機に装備された洗浄ガンにも簡単に取付できる。
また、洗浄ガンに供給される前に、予め発泡された発泡洗剤の発泡状態を損なうことがないので、発泡洗剤の能力を充分に発揮できる。
また、凍結防止用の温水を低圧で流すだけで、ノズル装置全体の凍結防止を図ることができる。
また、本ノズル装置は高圧洗浄水／低圧発泡洗剤兼用であるにもかかわらず、ムース状の細かくて均一な発泡洗剤の噴射が可能である。
【図面の簡単な説明】
【図１】ノズル装置の断面図である。
【図２】ノズル装置の断面図である。
【図３】スプレー式洗浄装置の全体構成図である。
【符号の説明】
１  ノズル装置本体
２  流体流入部
３  受圧体
４  チャンバー部
５  共通流路
６  弁装置
７  弁
８  付勢手段
９  拡散ノズル
１０  低圧流路
１１  発泡洗剤用ノズル
１２  スプレー式洗浄装置
１  洗浄ガン
【図１】
0004754734.tif 000002
【図２】
0004754734.tif 000003
【図３】
0004754734.tif 000004